(57)【要約】【課題】  携帯型端末と設置端末の間で、赤外線通信により電波通信の接続先を特定し、電波通信により情報の送受信を行う情報送受信方法において、前記携帯型端末が電波受信の受け入れ機能を備えていない端末であっても、情報の送受信ができるようにする。また、情報を送受信する際の操作を簡単にする。【解決手段】  設置端末で、携帯型端末から取得する情報を選択する信号を受信したときに、アップロードタイマーをセットし、タイムアウトした時点で、選択されている情報を自動的に中継サーバに送信する。また、携帯型端末から設置端末に情報を送信するときには、他の操作にあわせて、中継サーバへの情報の送信および送信完了の通知を自動的に行う。【選択図】        図３
2006067299.tif 000002
【特許請求の範囲】
【請求項１】
公衆電話網を利用した電波通信および赤外線通信が可能な携帯型端末と、前記携帯型端末に提供する情報が蓄積された設置端末と、前記携帯型端末と前記設置端末との間で送受信される情報を中継する中継サーバとからなる情報送受信システムで、前記携帯型端末を用いて前記設置端末から情報を受信する情報送受信方法であって、
前記赤外線通信により前記携帯型端末から前記設置端末に前記情報の選択信号を送信するステップ１と、
前記設置端末で前記選択信号を受信する毎に、前記設置端末内であらかじめ定められた時間のタイマーを作動させるステップ２と、
前記ステップ２で作動させたタイマーの作動中に、前記設置端末で前記携帯型端末から別の選択信号を受信しなかった場合、前記設置端末から前記中継サーバに、選択信号で選択された情報を送信（アップロード）するステップ３と、
前記設置端末から前記中継サーバに前記情報をアップロードしている最中に、前記設置端末で前記携帯型端末から別の選択信号を受信した場合は前記ステップ２に戻り、受信しなかった場合は前記情報のアップロードが完了した時点で、アップロードの完了を通知するステップ４と、
前記電波通信により前記携帯型端末と前記中継サーバのコネクションを確立するステップ５と、
前記電波通信により前記携帯型端末で前記中継サーバにアップロードされた前記情報を受信（ダウンロード）するステップ６とを有することを特徴とする情報送受信方法。
【請求項２】
公衆電話網を利用した電波通信および赤外線通信が可能な携帯型端末と、前記携帯型端末に提供する情報が蓄積された設置端末と、前記携帯型端末と前記設置端末との間で送受信される情報を中継する中継サーバとからなる情報送受信システムで、前記携帯型端末を用いた前記設置端末からの情報の受信、および前記設置端末への情報の送信を行う情報送受信方法であって、
前記携帯型端末を用いて前記設置端末の情報を受信するステップは、前記赤外線通信により前記携帯型端末から前記設置端末に前記情報の選択信号を送信するステップ１と、前記設置端末で前記選択信号を受信する毎に、前記設置端末内であらかじめ定められた時間のタイマーを作動させるステップ２と、前記ステップ２で作動させたタイマーの作動中に、前記設置端末で前記携帯型端末から別の選択信号を受信しなかった場合、前記設置端末から前記中継サーバに、選択信号で選択された情報を送信（アップロード）するステップ３と、前記設置端末から前記中継サーバに前記情報をアップロードしている最中に、前記設置端末で前記携帯型端末から別の選択信号を受信した場合は前記ステップ２に戻り、受信しなかった場合は前記情報のアップロードが完了した時点で、アップロードの完了を通知するステップ４と、前記電波通信により前記携帯型端末と前記中継サーバのコネクションを確立するステップ５と、前記電波通信により前記携帯型端末で前記中継サーバにアップロードされた前記情報を受信（ダウンロード）するステップ６とを有し、
前記携帯型端末を用いて前記設置端末へ情報を送信するステップは、前記電波通信により前記携帯型端末と前記中継サーバの間のコネクションを確立し、前記設置端末へ送信する情報を前記中継サーバに送信（アップロード）するステップ７と、前記ステップ７の情報のアップロードが完了した時点で、赤外線通信により前記携帯型端末から前記設置端末にアップロード完了通知し、その後前記携帯型端末から前記設置端末への情報送信要求を送信するステップ８と、前記ステップ８のアップロード完了通知および情報送信要求を受信した前記設置端末が、前記中継サーバから前記情報を受信（ダウンロード）するステップ９とを有することを特徴とする情報送受信方法。
【請求項３】
前記ステップ７は、前記情報を中継サーバにアップロードしている最中に、前記赤外線通信により前記携帯型端末から前記設置端末に、前記設置端末上の前記情報を表示するスペースを選択する信号（スペース選択信号）を送信し、
前記ステップ９は、前記スペース選択信号を受信した場合、前記スペース選択信号を受信した時点で、あらかじめ定められた時間のタイマーを作動させ、前記タイマーが作動中に前記携帯型端末から別のスペース選択信号を受信した場合は前記タイマーをリセットし、前記タイマーが作動中に前記アップロード完了通知および情報送信要求を受信した場合に前記中継サーバから前記情報をダウンロードすることを特徴とする請求項２に記載の情報送受信方法。
【請求項４】
前記ステップ５は、前記ステップ１と連携し、前記携帯型端末から前記設置端末に最初に前記選択信号を送信したときに、前記携帯型端末内で自動的に行うことを特徴とする請求項１乃至請求項３のいずれか１項に記載の情報送受信方法。
【請求項５】
前記ステップ４は、前記アップロードの完了を通知すると同時に、あらかじめ定められた時間のタイマーを作動させ、前記タイマーが作動中に、前記携帯型端末から別の選択信号を受信した場合は前記タイマーを停止させて前記ステップ２に戻り、前記携帯型端末から情報の取得要求信号を受信した場合は前記タイマーを停止させて情報を送信中であることを通知し、前記携帯型端末から信号を受信しなかった場合は前記ステップ２に戻ることを特徴とする請求項１乃至請求項４のいずれか１項に記載の情報送受信方法。
【請求項６】
公衆電話網を利用した電波通信および赤外線通信が可能な携帯型端末と、前記携帯型端末に提供する情報が蓄積された設置端末と、前記携帯型端末と前記設置端末との間で送受信される情報を中継する中継サーバとからなる情報送受信システムで、
前記設置端末は、前記赤外線通信により前記携帯型端末が要求する情報の選択信号を受信したときに、前記選択信号で選択された情報を前記中継サーバに送信（アップロード）するまでの制限時間を設定したアップロードタイマーを備えることを特徴とする情報送受信システム。
【請求項７】
前記設置端末は、前記アップロードタイマーに加え、前記選択信号で選択された情報を前記中継サーバにアップロードした後、前記赤外線通信により前記携帯型端末から前記情報の送信要求を受け付ける制限時間を設定した選択解除タイマーを備えることを特徴とする請求項６に記載の情報送受信システム。
【請求項８】
前記携帯型端末は、前記設置端末に送信する情報を、前記設置端末の代わりに、前記電波通信を用いて前記設置端末と接続された中継サーバに送信（アップロード）するアップロード制御手段を備えることを特徴とする請求項６または請求項７に記載の情報送受信システム。
【発明の詳細な説明】
【技術分野】
【０００１】
本発明は、情報送受信方法および情報送受信システムに関し、特に、携帯型端末を用いて、公共スペースや家庭に設置された設置端末からの情報の受信、または前記設置端末への情報の送信を行う送受信方法に適用して有効な技術に関するものである。
【背景技術】
【０００２】
従来、携帯電話等の携帯型端末を利用して、情報キオスクや家庭内の情報家電等の情報を蓄積した端末（設置端末）から情報を取得（受信）する方法として、IrDA(Infrared Data Association)に代表される赤外線通信を利用する方法がある。前記赤外線通信は、たとえば、テレビ等の家電製品をリモートコントロールする際のコントローラ等にも利用されており、短距離通信を行う場面で広く利用されている。
【０００３】
しかしながら、前記赤外線は、指向性の強い通信媒体である。そのため、前記赤外線通信を利用して、前記携帯型端末と前記設置端末の間で情報の送受信を行うときには、前記携帯型端末の赤外線通信手段を、前記設置端末の赤外線通信手段に向けておかなければならない。このように、前記携帯型端末の赤外線通信手段を、前記設置端末の赤外線通信手段に向けるという行為は、通信相手の設置端末を特定できる点では、前記携帯型端末のユーザにとって直感的でわかりやすいが、通信中、前記携帯型端末の向きや位置を固定し続けなければならない点で、前記携帯型端末のユーザに身体的な負担がかかるという問題がある。
【０００４】
このような問題を解決する方法としては、たとえば、赤外線通信で電波通信の接続先を特定することにより電波通信を開始する通信方法（たとえば、特許文献１を参照。）を適用する方法が考えられる。この方法では、前記携帯型端末および前記設置端末にそれぞれ、赤外線通信手段（通信部）および電波通信手段（通信部）を持たせる。そして、前記携帯型端末の赤外線通信手段を前記設置端末の赤外線通信手段に向けて前記携帯型端末を操作し、たとえば、IPアドレス等の前記携帯型端末の電波通信用IDを赤外線通信で前記設置端末に送信する。このとき、前記設置端末では、前記赤外線通信で受信した電波通信用IDを持つ携帯端末に対して電波通信の接続要求を出す。そして、前記携帯型端末が前記設置端末からの接続要求を受け入れると、以後、電波通信により前記携帯型端末で前記設置端末の情報を受信したり、前記携帯型端末から前記設置端末に情報を送信したりすることができる。前記情報の送受信（電波通信）で利用する電波は、赤外線と比べて指向性が非常に弱く、通信可能領域内であれば、前記携帯型端末と前記設置端末の相対的な向きや位置関係に関係なく、安定した通信を行うことができる。そのため、このような通信方法は、最初に赤外線通信を行うことで、通信相手の設置端末の特定が直感的でわかりやすい上、情報の送受信中に前記携帯型端末の向きや位置を固定し続ける必要がないので、前記携帯型端末のユーザの身体的な負担を低減できるという二つの利点がある。
【特許文献１】特開２００２−１２５２６８号公報
【発明の開示】
【発明が解決しようとする課題】
【０００５】
前記携帯型端末の例としては、たとえば、公衆電話網を利用する携帯電話や、前記公衆電話網を利用した電波通信が可能な通信手段を備えるPDA(Personal Digital Assistance)等の端末が挙げられるが、これらの端末は、汎用的な電波通信の接続要求を受け入れる機能を備えていない。この点について少し詳しく説明すると、前記公衆電話網を利用する携帯電話の場合、電話（音声通話）とメールに対しては、接続要求を受け入れる機能（着信機能）を備えているが、たとえば、JAVA言語を利用したアプリケーション等の一般的なアプリケーションに対しては、接続要求の受け入れができないようになっている。これは、通信資源の浪費抑制や、携帯電話ユーザの安全性確保のためであり、ほぼすべての携帯電話に共通していることである。したがって、前記特許文献１に記載された、赤外線通信で電波通信の接続先を特定することにより電波通信を開始する通信方法を、前記携帯型端末と前記設置端末の間での情報の送受信にそのまま適用することはできない。
【０００６】
前記赤外線通信で電波通信の接続先を特定することにより電波通信を開始する通信方法を、前記携帯型端末と前記設置端末の間での情報の送受信に適用する方法としては、たとえば、電波通信の接続要求を受け入れることができる機能を備えた中継サーバを用意する方法が考えられる。しかしながら、単に前記中継サーバを用意しただけでは、前記携帯型端末と前記中継サーバの間で電波通信を行うための操作が必要となり、前記携帯型端末で行う操作が複雑になってしまう。この点について少し詳しく説明すると、前記携帯型端末を用いて、前記中継サーバを介して前記設置端末の情報を受信しようとする場合、前記携帯型端末のユーザは、たとえば、以下のような４つの操作を行わなければならない。
（１）赤外線通信により設置端末から受信する情報を選択するための信号を設置端末に送信する操作。
（２）赤外線通信により中継サーバのID（識別情報）、および選択した情報の前記中継サーバへの送信（アップロード）を要求する信号を前記設置端末に送信する操作。
（３）電波通信により前記中継サーバに接続要求を送信する操作。
（４）電波通信により前記設置端末から前記中継サーバにアップロードされた情報を受信（ダウンロード）する操作。
【０００７】
また、前記携帯型端末を用いて、前記中継サーバを介して前記設置端末に情報を送信しようとする場合、前記携帯型端末のユーザは、以下のような４つの操作を行わなければならない。
（１）電波通信により前記中継サーバに接続要求を送信する操作。
（２）電波通信により携帯型端末に蓄積された情報を前記中継サーバに送信（アップロード）する操作。
（３）赤外線通信により前記設置端末に情報を送信することや、送信した情報を表示させる情報表示スペースを選択するための信号を前記設置端末に送信する操作。
（４）赤外線通信により前記情報をアップロードした中継サーバの識別情報（ID）、および前記中継サーバにアップロードされている情報のダウンロードを要求する信号を前記設置端末に送信する操作。
【０００８】
また、前記中継サーバを用意する方法以外の方法として、たとえば、前記設置端末の電波通信用IDを、赤外線信号で前記設置端末側から常時発信しておき、この電波通信用IDを前記携帯型端末で受信し、前記携帯型端末側から電波通信の接続要求を出すという方法が考えられる。しかしながら、この方法では、前記設置端末で電波通信用IDを常時発信しており電力が浪費される。また、前記赤外線は、指向性の強い上、不可視であるため、前記赤外線信号をユーザが気づかずに長時間見つめてしまい、視力を低下させる懸念が生じる。
【０００９】
さらに、携帯型端末の操作により前記設置端末の表示手段上に準備された情報表示スペースを選択して、その情報表示スペースに表示させる情報を前記携帯型端末から送信する際に限っては、メール機能を利用する方法、つまり、赤外線通信で前記携帯型端末のメールアドレスを前記設置端末に送信し、前記設置端末の情報をメールとして前記携帯型端末から返信してもらうという方法も考えられる。しかしながら、公衆電話網を利用する携帯型端末では、メールアプリケーション以外のアプリケーションによるメールの読み取りや書き換えは制限されていることが多く、汎用的ではない。
【００１０】
以上のように、携帯型端末と設置端末の間での情報の送受信方法において、前記携帯型端末が汎用的な電波通信の接続要求の受け入れ機能を持たない場合、前記情報の送受信方法に赤外線通信で電波通信の接続先を特定して電波通信を開始する通信方法をそのまま適用することが難しいという問題があった。
【００１１】
また、前記携帯型端末が汎用的な電波通信の接続要求の受け入れ機能を持たない場合でも、前記中継サーバを用意することにより、前記情報の送受信方法に赤外線通信で電波通信の接続先を特定して電波通信を開始する通信方法を適用することは可能であるが、その場合、操作が複雑になるという問題があった。
【００１２】
また、前記中継サーバを用意する代わりに、たとえば、前記設置端末の電波通信用IDを、赤外線信号で前記設置端末側から常時発信しておき、この電波通信用IDを前記携帯型端末で受信し、前記携帯型端末側から電波通信の接続要求を出すという方法が考えられるが、前記設置端末において電力を浪費するという問題があった。
【００１３】
本発明の目的は、携帯型端末と設置端末の間で、赤外線通信により電波通信の接続先を特定し、電波通信により情報の送受信を行う情報送受信方法において、前記携帯型端末が電波受信の受け入れ機能を備えていない端末であっても、情報の送受信が可能な技術を提供することにある。
【００１４】
本発明の他の目的は、電波受信の受け入れ機能を備えていない携帯型端末と設置端末の間で、赤外線通信により電波通信の接続先を特定し、電波通信により情報の送受信を行う情報送受信方法において、前記携帯型端末における情報の受信および送信に関わる操作を簡略化することが可能な技術を提供することにある。
【００１５】
本発明の前記ならびにその他の目的と新規な特徴は、本明細書の記述および添付図面によって明らかになるであろう。
【課題を解決するための手段】
【００１６】
本願において開示される発明の概略を説明すれば、以下の通りである。
【００１７】
（１）公衆電話網を利用した電波通信および赤外線通信が可能な携帯型端末と、前記携帯型端末に提供する情報が蓄積された設置端末と、前記携帯型端末と前記設置端末との間で送受信される情報を中継する中継サーバとからなる情報送受信システムで、前記携帯型端末を用いて前記設置端末から情報を受信する情報送受信方法であって、前記赤外線通信により前記携帯型端末から前記設置端末に前記情報の選択信号を送信するステップ１と、前記設置端末で前記選択信号を受信する毎に、前記設置端末内であらかじめ定められた時間のタイマーを作動させるステップ２と、前記ステップ２で作動させたタイマーの作動中に、前記設置端末で前記携帯型端末から別の選択信号を受信しなかった場合、前記設置端末から前記中継サーバに、選択信号で選択された情報を送信（アップロード）するステップ３と、前記設置端末から前記中継サーバに前記情報をアップロードしている最中に、前記設置端末で前記携帯型端末から別の選択信号を受信した場合は前記ステップ２に戻り、受信しなかった場合は前記情報のアップロードが完了した時点で、アップロードの完了を通知するステップ４と、前記電波通信により前記携帯型端末と前記中継サーバのコネクションを確立するステップ５と、前記電波通信により前記携帯型端末で前記中継サーバにアップロードされた前記情報を受信（ダウンロード）するステップ６とを有する情報送受信方法である。
【００１８】
（２）公衆電話網を利用した電波通信および赤外線通信が可能な携帯型端末と、前記携帯型端末に提供する情報が蓄積された設置端末と、前記携帯型端末と前記設置端末との間で送受信される情報を中継する中継サーバとからなる情報送受信システムで、前記携帯型端末を用いた前記設置端末からの情報の受信、および前記設置端末への情報の送信を行う情報送受信方法であって、前記携帯型端末を用いて前記設置端末の情報を受信するステップは、前記赤外線通信により前記携帯型端末から前記設置端末に前記情報の選択信号を送信するステップ１と、前記設置端末で前記選択信号を受信する毎に、前記設置端末内であらかじめ定められた時間のタイマーを作動させるステップ２と、前記ステップ２で作動させたタイマーの作動中に、前記設置端末で前記携帯型端末から別の選択信号を受信しなかった場合、前記設置端末から前記中継サーバに、選択信号で選択された情報を送信（アップロード）するステップ３と、前記設置端末から前記中継サーバに前記情報をアップロードしている最中に、前記設置端末で前記携帯型端末から別の選択信号を受信した場合は前記ステップ２に戻り、受信しなかった場合は前記情報のアップロードが完了した時点で、アップロードの完了を通知するステップ４と、前記電波通信により前記携帯型端末と前記中継サーバのコネクションを確立するステップ５と、前記電波通信により前記携帯型端末で前記中継サーバにアップロードされた前記情報を受信（ダウンロード）するステップ６とを有し、前記携帯型端末を用いて前記設置端末へ情報を送信するステップは、前記電波通信により前記携帯型端末と前記中継サーバの間のコネクションを確立し、前記設置端末へ送信する情報を前記中継サーバに送信（アップロード）するステップ７と、前記ステップ７の情報のアップロードが完了した時点で、赤外線通信により前記携帯型端末から前記設置端末にアップロード完了通知し、その後前記携帯型端末から前記設置端末への情報送信要求を送信するステップ８と、前記ステップ８のアップロード完了通知および情報送信要求を受信した前記設置端末が、前記中継サーバから前記情報を受信（ダウンロード）するステップ９とを有する情報送受信方法である。
【００１９】
（３）公衆電話網を利用した電波通信および赤外線通信が可能な携帯型端末と、前記携帯型端末に提供する情報が蓄積された設置端末と、前記携帯型端末と前記設置端末との間で送受信される情報を中継する中継サーバとからなる情報送受信システムで、前記設置端末は、前記赤外線通信により前記携帯型端末が要求する情報の選択信号を受信したときに、前記選択信号で選択された情報を前記中継サーバに送信（アップロード）するまでの制限時間を設定したアップロードタイマーを備えることを特徴とする情報送受信システム。
【発明の効果】
【００２０】
本発明の情報送受信方法は、前記（１）および（２）の手段のように、前記携帯型端末を用いて前記設置端末の情報を取得（受信）するときに中継サーバを介して取得する。そのため、前記携帯型端末が、電波受信の受け入れ機能を備えていない端末であっても、赤外線通信により電波通信の接続先を特定し、電波通信により情報の送受信を行う情報送受信方法を適用した情報の送受信が可能である。
【００２１】
また、前記（１）および（２）の手段のように、前記携帯型端末を用いて前記設置端末の情報を取得するときに、前記設置端末で前記携帯型端末から情報の選択信号を受信した時点でタイマーを作動させ、前記タイマーが作動中に別の選択信号を受信しなかった場合、すなわち、ある選択信号を受信したときに作動を開始したタイマーがタイムアウトした場合に自動的に選択信号で選択された情報を中継サーバに送信（アップロード）する。そのため、前記携帯型端末のユーザは、前記選択した情報を中継サーバにアップロードさせる信号を前記設置端末に送信する操作を行わなくてもよく、身体的な負担が軽減する。
【００２２】
また、前記（１）および（２）の手段において、前記ステップ５は、たとえば、前記ステップ１と連携し、前記携帯型端末から前記設置端末に最初に前記選択信号を送信したときに、前記携帯型端末内で自動的に行うようにすることが好ましい。このようにすれば、前記携帯型端末のユーザは、前記携帯型端末と中継サーバとのコネクションを確立させる操作を行わなくてもよく、身体的な負担がさらに軽減する。
【００２３】
また、前記（１）および（２）の手段において、前記ステップ４は、前記アップロードの完了を通知すると同時に、あらかじめ定められた時間のタイマーを作動させ、前記タイマーが作動中に、前記携帯型端末から別の選択信号を受信した場合は前記タイマーを停止させて前記ステップ２に戻り、前記携帯型端末から情報の取得要求信号を受信した場合は前記タイマーを停止させて情報を送信中であることを通知し、前記携帯型端末から信号を受信しなかった場合は前記ステップ２に戻るようにしてもよい。
【００２４】
また、前記（２）の手段において、前記ステップ７は、前記情報を中継サーバにアップロードしている最中に、前記赤外線通信により前記携帯型端末から前記設置端末に、前記設置端末上の前記情報を表示するスペースを選択する信号（スペース選択信号）を送信し、前記ステップ９は、前記スペース選択信号を受信した場合、前記スペース選択信号を受信した時点で、あらかじめ定められた時間のタイマーを作動させ、前記タイマーが作動中に前記携帯型端末から別のスペース選択信号を受信した場合は前記タイマーをリセットし、前記タイマーが作動中に前記アップロード完了通知および情報送信要求を受信した場合に前記中継サーバから前記情報をダウンロードするようにしてもよい。
【００２５】
また、前記（１）および（２）の手段のような情報送受信方法を実現する情報送受信システムにおいて、前記設置端末は、前記（３）の手段のように前記アップロードタイマーを備えていればよい。
【００２６】
また、前記（３）の手段において、前記設置端末は、前記アップロードタイマーに加え、前記選択信号で選択された情報を前記中継サーバにアップロードした後、前記赤外線通信により前記携帯型端末から前記情報の送信要求を受け付ける制限時間を設定した選択解除タイマーを備えていることが好ましい。
【００２７】
またさらに、前記（３）の手段において、前記携帯型端末は、前記設置端末に送信する情報を、前記設置端末の代わりに、前記電波通信を用いて前記設置端末と接続された中継サーバに送信（アップロード）するアップロード制御手段を備えていればよい。
【００２８】
以下、本発明について、図面を参照して実施の形態（実施例）とともに詳細に説明する。
なお、実施例を説明するための全図において、同一機能を有するものは、同一符号を付け、その繰り返しの説明は省略する。
【発明を実施するための最良の形態】
【００２９】
本発明の情報送受信方法では、携帯型端末に情報を提供する設置端末にアップロードタイマーを設け、前記携帯型端末から要求する情報の選択信号が送られたときに前記アップロードタイマーを作動させ、前記アップロードタイマーの作動中に別の選択信号が送られてこなかった場合、前記設置端末は、自動的に、前記選択信号により選択された情報を中継サーバに送信（アップロード）する。このようにすることで、前記携帯型端末のユーザが情報を受信するときに行う操作を減らし、身体的な負担を軽減できる。また、前記携帯型端末から前記設置端末に情報を送信するときには、たとえば、前記携帯型端末から前記設置端末に送信する情報が確定した時点で、前記携帯型端末から前記中継サーバへの情報の送信（アップロード）を開始し、前記中継サーバへのアップロードが完了した時点で前記携帯型端末から前記設置端末にアップロード完了通知を自動的に送信する。このとき、前記設置端末で、前記アップロード完了通知を受信したときに、前記携帯型端末のユーザに対して情報を受信する準備ができたことを通知し、前記携帯型端末から送信実行信号を受信したら、前記設置端末は、前記中継サーバから情報を受信（ダウンロード）する。このようにすることで、前記携帯型端末のユーザが、情報を前記設置端末に送信するときに行う操作を減らし、身体的な負担を低減できる。
【実施例１】
【００３０】
図１は、本発明による一実施例の情報送受信方法が適用される情報送受信システムの概略構成を示す模式図である。
図１において、１は携帯型端末、１０１は電波通信手段、１０２は赤外線通信手段、１０３はメモリ、１０４は表示手段、１０５は入力手段、１０６は初期化タイマー、１０７はアップロード制御手段、１０８は処理制御手段、２は設置端末、２０１は有線通信手段、２０２は赤外線通信手段、２０３はメモリ、２０４は表示手段、２０５はアップロードタイマー、２０６は選択解除タイマー、２０７は処理制御手段、３は中継サーバである。
【００３１】
本実施例の情報送受信方法が適用される情報送受信システムは、図１に示すように、携帯型端末１と、前記携帯型端末に提供する情報が蓄積された設置端末２と、前記携帯型端末１と前記設置端末２の間で送受信される情報を中継する中継サーバ３により構成されている。
【００３２】
このとき、前記携帯型端末１は、図１に示すように、公衆電話網を利用した電波通信を行う電波通信手段１０１と、赤外線通信を行う赤外線通信手段１０２と、前記設置端末２から受信した情報等を蓄積するメモリ１０３と、前記設置端末２から受信した情報等を表示する表示手段１０４と、方向ボタンや情報の送信ボタンおよび取得ボタン等を備えた入力手段１０５と、タイマー１０６と、アップロード制御手段１０７と、前記各手段およびタイマーで行われる処理を制御する処理制御手段１０８とを備える。このとき、前記携帯型端末１の赤外線通信手段１０２は、赤外線信号を送信するのみの手段でよく、たとえば、IrDA(Infrared Data Association)規格等で確立されているもののなかで片方向赤外線通信用のものを利用する。
【００３３】
また、前記設置端末２は、前記中継サーバ３と通信を行う有線通信手段２０１と、前記携帯型端末１の赤外線通信手段１０２と通信を行う赤外線通信手段２０２と、前記携帯型端末１に提供する情報等が蓄積されたメモリ２０３と、前記携帯型端末１に提供する情報の一覧等を表示する表示手段２０４と、アップロードタイマー２０５と、選択解除タイマー２０６と、前記各手段および各タイマーで行われる処理を制御する処理制御手段２０７とを備える。このとき、前記設置端末２の赤外線通信手段２０２は、赤外線信号を受信のみの手段でよく、携帯型端末１の赤外線通信手段１０２と同様、IrDA規格等で確立されている片方向赤外線通信用のものを利用する。
【００３４】
また、前記中継サーバ３は、たとえば、インターネット等のネットワーク上に設置されているサーバであり、前記設置端末２とは通信ケーブルにより接続されている。また、前記中継サーバ３と前記携帯型端末１は、公衆電話網を介した電波通信で接続される。またこのとき、前記携帯型端末１が接続する中継サーバ３は、前記携帯型端末１が利用する設置端末２の設置場所をカバーする携帯電話基地局に基づき選択される。
【００３５】
図１に示したような情報送受信システムにおいて、前記携帯型端末１と前記設置端末２の間で情報を送受信するときには、まず、前記携帯型端末１および前記設置端末２の赤外線通信手段１０２，２０２を利用して電波通信の接続先を特定する。そして、前記携帯型端末１は中継サーバ３との間で電波通信のためのコネクションを確立し、前記携帯型端末１を用いて前記設置端末２の情報を受信するときには、前記設置端末２から前記中継サーバ３に送信（アップロード）された情報を受信し、前記携帯型端末１を用いて前記設置端末２に情報を送信するときには、前記携帯型端末１から前記中継サーバ２に送信（アップロード）した情報を前記設置端末２に受信させる。
【００３６】
以下、前記携帯型端末１を用いて前記設置端末２から情報を受信する場合と、前記設置端末２に情報を送信する場合に分けて、本実施例の情報送受信方法について説明する。
【００３７】
図２乃至図４は、本実施例の情報送受信方法における携帯型端末を用いた設置端末からの情報の受信方法を説明するための模式図であり、図２は設置端末から情報を受信するときの携帯型端末における処理手順を示すフロー図、図３は設置端末から情報を受信するときの設置端末における処理手順を示すフロー図、図４（ａ），図４（ｂ）は携帯型端末から設置端末に送信される赤外線信号の構成例を示す図である。
【００３８】
本実施例の情報送受信方法において、前記携帯型端末１のユーザが、前記携帯型端末１を用いて前記設置端末２の情報を受信（取得）するときには、たとえば、まず、あらかじめ定められた操作を行い、図２に示したように、前記携帯型端末１を初期状態にする（ステップ４０１）。このとき、前記ステップ４０１の初期状態は、たとえば、前記携帯型端末１の入力手段１０５を操作することにより、前記設置端末２の表示手段２０４に表示されている情報を選択できるようにした状態であるとする。また、前記ステップ４０１の初期状態では、情報を受信するために利用する中継サーバ３がすでに選択されているとする。このとき、前記中継サーバ３は、携帯型端末１が情報を受信する設置端末２が設置された場所をカバーする携帯電話基地局に基づき選択される。
【００３９】
次に、前記ユーザが、前記携帯型端末１の赤外線通信手段１０２を前記設置端末２の赤外線通信手段２０２のほうに向け、たとえば、前記入力手段１０５の方向ボタン等の操作を行うと、前記携帯型端末１は、その操作を検知し、前記設置端末の表示手段に表示された情報を選択する操作であるか否かの判定をする（ステップ４０２）。このとき、前記情報を選択する操作を検知すると、前記携帯型端末１は、赤外線通信手段１０２から前記設置端末２に向けて、前記選択した情報を示す赤外線信号（情報選択信号）を発信する（ステップ４０３）。このとき、前記携帯型端末１から前記設置端末２に発信される情報選択信号は、たとえば、図４（ａ）に示すように、どの情報を選択したかを表す「情報選択」信号識別子と、前記携帯型端末の個体識別番号とを含む信号である。
【００４０】
また、前記携帯型端末１は、前記ステップ４０３で前記情報選択信号を発信した後、前記中継サーバ３とのコネクションが確立されているか否かを調べる（ステップ４０４）。このとき、コネクションがすでに確立していれば、前記携帯型端末１は前記ステップ４０１、すなわち初期状態に戻り、次の操作を検知するまで待機する。一方、コネクションが確立していなければ、前記携帯型端末１は、前記電波通信手段１０１を利用して、前記中継サーバ３とのコネクションを確立した後、前記ステップ４０１（初期状態）に戻り、次の操作を検知するまで待機する。なお、この段階で前記携帯型端末１と前記中継サーバ３のコネクションを確立しておく理由は、前記中継サーバ３から情報を受信（ダウンロード）することになったときに、迅速に処理できるようにするためである。そのため、前記ステップ４０４およびステップ４０５の処理は、前記ステップ４０３の後でなくてもよい。
【００４１】
また、前記携帯型端末１は、前記ステップ４０２において、検知した操作が前記情報を選択する操作ではない場合、前記検知した操作が前記設置端末２から情報の取得を開始する操作（情報取得操作）であるか否かの判定をする（ステップ４０６）。このとき、検知した操作が前記情報取得操作でもなければ、前記ステップ４０１（初期状態）に戻り、次の操作を検知するまで待機する。
【００４２】
一方、検知した操作が前記情報取得操作であれば、前記携帯型端末１は、前記赤外線通信手段１０２から前記設置端末２に向けて、前記情報の取得の開始を示す赤外線信号（情報取得信号）を発信する（ステップ４０７）。このとき、前記携帯型端末１から前記設置端末２に発信される情報取得信号は、たとえば、図４（ｂ）に示すように、情報の取得（受信）を開始することを表す「情報取得」信号識別子を含む。
【００４３】
また、ここでは詳細な説明は省略するが、前記情報取得操作は、前記設置端末２から中継サーバ３への情報の送信（アップロード）が完了し、たとえば、前記設置端末２の表示手段２０４に、選択された情報を前記携帯型端末１に送信する準備ができたことを通知する表示がされた後に行う。そのため、前記携帯型端末１は、前記ステップ４０７において、前記赤外線通信により前記設置端末２に前記情報取得信号を送信するとともに、前記電波通信により前記中継サーバ３から前記情報を受信（ダウンロード）する。
【００４４】
そして、前記携帯型端末１は、前記ステップ４０７で前記中継サーバから前記選択した情報を受信した後、情報の取得（受信）に成功したか否かの判定（ステップ４０８）をし、成功した場合は取得（受信）した情報を前記携帯型端末１の表示手段１０４に表示する（ステップ４０９）。一方、取得に失敗した場合は、前記携帯型端末１の表示手段１０４に、失敗したことを通知する表示をする（ステップ４１０）。前記携帯型端末１を用いて前記設置端末２の情報を取得（受信）する場合、前記携帯型端末１では以上のような処理が行われる。
【００４５】
一方、前記携帯型端末１を用いて前記設置端末２の情報を受信する場合、前記設置端末２では、まず、図３に示すように、前記携帯型端末１に提供できる情報をすべて非選択状態で表示して待機している（ステップ５０１）。
【００４６】
そして、図２に示したステップ４０３の処理により、前記携帯型端末１から送信された情報選択信号を前記設置端末２の赤外線通信手段２０２で受信すると、前記設置端末２は、たとえば、前記情報選択信号で選択された情報を強調表示するなどして、どの情報が選択されているかを示す（ステップ５０２）。またこのとき、前記選択された情報を強調表示するとともに、前記アップロードタイマー２０５をセットする。なお、前記アップロードタイマー２０５がすでに作動している場合は、リセットする。また、前記アップロードタイマー２０５の設定時間は、たとえば、０．７秒とする。
【００４７】
前記設置端末２では、前記ステップ５０２でセットまたはリセットしたアップロードタイマー２０５の作動中に、前記携帯型端末１から別の選択信号を受信したか否かを監視する（ステップ５０３）。そして、別の選択信号を受信した場合は、ステップ５０２に戻り前記アップロードタイマー２０５をリセットする。
【００４８】
一方、前記アップロードタイマー２０５の作動中に別の選択信号を受信せず、タイムアウトした場合、前記設置端末２は、選択されている情報を前記中継サーバ３に送信（アップロード）する（ステップ５０４）。このとき、前記情報は、選択された情報を前記情報選択信号に含まれていた携帯型端末の固体識別番号と同一の名前で、前記中継サーバにアップロードする。なお、このとき情報をアップロードする中継サーバ３は、設置端末２が設置されている場所をカバーする携帯電話基地局に基づいてあらかじめ設定されており、前記携帯型端末１がコネクションを確立したサーバと同じサーバになるように設定されている。このように、前記携帯型端末１から情報選択信号を受信した後、一定時間、別の選択信号を受信しなかった場合に、自動的に選択されている信号を前記中継サーバ３にアップロードすることで、前記携帯型端末１のユーザが、前記設置端末２に、前記選択された情報を中継サーバにアップロードさせる操作を行わなくてもよくなる。
【００４９】
ただし、前記アップロードタイマー２０５の設定時間によっては、タイムアウトした後、すなわち中継サーバ３への情報のアップロードを開始した後に、前記設置端末２で前記別の情報選択信号を受信することもある。そのため、前記設置端末２は、前記中継サーバに情報をアップロードしている最中に、前記携帯型端末１から別の情報選択信号を受信したか否かを監視する（ステップ５０５）。そして、別の選択信号を受信した場合は、情報のアップロードを中止（ステップ５０６）し、ステップ５０２に戻る。
【００５０】
一方、前記別の選択信号を受信する前にアップロードが完了した場合、たとえば、前記設置端末２の表示手段２０４に、情報を送信する準備ができたことを通知する表示をし、前記携帯型端末１からの情報取得信号を待つ（ステップ５０７）。またこのとき、前記設置端末２では、情報を送信する準備ができたことを通知する表示をすると同時に、選択解除タイマー２０６をセットする。前記選択解除タイマー２０６の設定時間は、たとえば、３０秒とする。
【００５１】
前記設置端末２では、前記ステップ５０７でセットした選択解除タイマー２０６の作動中、すなわち送信準備ができたことを通知する表示をしてから３０秒以内に、前記携帯型端末１から別の選択信号を受信したか否かを監視する（ステップ５０８）。このとき、別の選択信号を受信したら、選択解除タイマー２０６を停止（ステップ５０９）し、ステップ５０２に戻る。
【００５２】
また、前記設置端末２では、前記ステップ５０７でセットした選択解除タイマー２０６の作動中、前記携帯型端末から別の選択信号の他に、前記携帯型端末１からの情報取得信号を受信したか否かも監視する（ステップ５１０）。そして、タイマー作動中に情報取得信号を受信した場合、たとえば、前記設置端末２の表示手段２０４に、情報を送信中であることを示す表示をする（ステップ５１１）。ただしこのとき、前記携帯型端末１では、図２に示したように、前記設置端末２に情報取得信号を送信しているが、実際には、前記中継サーバ３から前記情報を受信（取得）している。しかしながら、前記ステップ５１１のような処理を行うことで、前記携帯型端末１のユーザに対して、前記情報を、前記設置端末２から直接取得しているように見せることができる。
【００５３】
次に、図２に示したような手順で前記設置端末２の情報を取得（受信）する携帯型端末１を用いて、図３に示したような手順で前記携帯型端末１（中継サーバ２）に情報を送信する設置端末２から情報を受信するときの、実際の手順と、情報の流れについて説明する。
【００５４】
図５乃至図９は、図２および図３のフローに沿って情報を受信するときの各端末の状態および情報の流れを示す図である。
【００５５】
本実施例１の情報送受信方法において、前記携帯型端末１を用いて前記設置端末２の情報を取得（受信）するときには、まず、図５に示すように、前記設置端末２の表示手段２０４に表示された各情報は非選択状態になっている。そして、前記携帯型端末１を前記設置端末２に近づけ、情報を取得するための操作をすると、前記携帯型端末１は、携帯電話基地局（図示しない）を介して、情報を取得するために利用する中継サーバ３を選択する。
【００５６】
そして、前記携帯型端末１のユーザが、前記携帯型端末１の入力手段（方向ボタン）１０５を操作して、情報選択信号を入力すると、図６に示すように、前記携帯型端末１の赤外線通信手段１０２から前記設置端末２の赤外線通信手段２０２に、情報選択信号が発信される。このとき、前記携帯型端末１では、前記設置端末２に情報選択信号を送信するとともに、電波通信手段１０１を用いて前記中継サーバ３とのコネクションを確立する。またこのとき、前記携帯型端末１から、前記設置端末２の表示手段２０４に表示された情報３を選択する信号が送信されたとすれば、前記設置端末２は、たとえば、図６に示すように、前記選択された情報３を強調表示する。また、前記設置端末２は、前記携帯型端末１からの情報選択信号を受信した時点で前記アップロードタイマー２０５を作動させる。そして、前記アップロードタイマー２０５の作動中に別の選択信号を受信しなければ、選択されている情報３を、前記中継サーバ３に送信（アップロード）する。
【００５７】
次に、前記設置端末２は、前記中継サーバ３への情報のアップロードが完了すると、たとえば、図７に示すように、前記表示手段２０４に送信準備ができたことを表示し、前記携帯型端末１のユーザに通知する。そして、前記設置端末２の表示手段２０４に表示された通知を見た前記携帯型端末１のユーザが、図７に示すように、前記携帯型端末１を操作して、前記携帯型端末１から前記設置端末２に情報取得信号を送信すると、それにあわせて、前記携帯型端末１から前記中継サーバ３に、前記設置端末２がアップロードした情報のダウンロード要求が送信される。このダウンロード要求は、前記情報取得信号の送信にあわせて自動的に送信されるので、前記携帯型端末１のユーザは、前記中継サーバ３に対してダウンロード要求を送信するという操作は行わなくてよい。
【００５８】
また、前記設置端末２は、前記表示手段２０４に送信準備ができたことを表示すると同時に、前記選択解除タイマー２０６を作動させている。そして、前記選択解除タイマー２０６の作動中に、前記携帯型端末１から前記情報取得信号を受信した場合、前記設置端末２の表示手段２０４には、たとえば、図８に示すように、選択された情報（情報３）を送信中であることを通知する表示がされる。このとき、前記携帯型端末１は、実際には、前記中継サーバ３から情報を受信している。
【００５９】
またこのとき、前記携帯型端末１は、前記中継サーバ３からの前記情報の受信を完了すると、たとえば、図９に示すように、自動的に前記設置端末２に対して受信完了信号を送るようにしておけば、前記受信完了信号を受信した設置端末２は、選択されている情報の強調表示を解除して初期状態、すなわちすべての情報を非選択状態で表示し、次の情報選択信号を受信するまで待機する。
【００６０】
このように、本実施例の前記携帯型端末１を用いた前記設置端末２の情報の取得（受信）方法によれば、前記携帯型端末１のユーザは、取得する情報を選択する操作および選択した情報の取得を開始する操作のみを行えばよい。そのため、汎用的な電波通信の受け入れ機能を持たない携帯型端末１と設置端末２の間で、前記赤外線通信で電波通信の接続先を特定し、中継サーバ３を介した電波通信で情報の送受信を行う情報送受信方法において、前記携帯型端末１のユーザが行う操作の数を減らすことができる。また、前記携帯型端末１を用いて前記中継サーバ３から前記情報を受信するときには、指向性の弱い電波通信を利用するので、前記中継サーバ３から前記情報を受信している間は、前記携帯型端末１の向きや位置を固定しておく必要はない。これらのことから、前記携帯型端末１を用いて前記設置端末２から情報を受信する際に、前記携帯型端末１のユーザにかかる身体的な負担を軽減することができる。
【００６１】
次に、前記携帯型端末１を用いて、前記設置端末２に情報を送信する場合の送信手順について説明する。
【００６２】
図１０乃至図１２は、本実施例の情報送受信方法における携帯型端末から設置端末への情報の送信方法を説明するための模式図であり、図１０は携帯型端末から情報を送信するときの携帯型端末における処理手順を示すフロー図、図１１は携帯型端末から情報を送信するときの設置端末における処理手順を示すフロー図、図１２（ａ），図１２（ｂ），図１２（ｃ）はそれぞれ携帯型端末から設置端末に送信される赤外線信号の構成例を示す図である。
【００６３】
本実施例の情報送受信方法において、前記携帯型端末１から前記設置端末２に情報を送信するときには、単純に情報を送信するだけの場合も考えられるが、そのほかに、たとえば、前記携帯型端末１のユーザが前記設置端末２の表示手段２０４に表示された情報表示スペースを選択し、情報を送信した後、選択した情報表示スペースに前記送信した情報を表示させる場合も考えられる。そこで、以下の説明では、前記携帯型端末１のユーザが、前記携帯型端末１を用いて前記情報表示スペースを選択し、情報を送信した後、選択した情報表示スペースに前記送信した情報を表示させる場合を例に挙げ、そのときの前記携帯型端末１の処理手順および設置端末２の処理手順について説明する。
【００６４】
前記携帯型端末１のユーザが、前記携帯型端末１を利用して設置端末２に情報を送信するときには、たとえば、まず、あらかじめ定められた操作を行い、図１０に示したような初期状態にする（ステップ６０１）。前記ステップ６０１の初期状態は、たとえば、前記携帯型端末１の入力手段１０５を操作することにより、前記設置端末２の表示手段２０４に表示される情報表示スペースを選択できる状態である。また、この状態ではすでに、情報を送信するために利用する中継サーバ３が選択されているとする。このとき、前記中継サーバ３は、携帯型端末１が利用する携帯電話基地局に基づき選択される。またさらに、この状態ではすでに、前記設置端末２に対して送信する情報が決定されているとする。
【００６５】
次に、前記ユーザが、前記携帯型端末１の赤外線通信手段１０２を前記設置端末２の赤外線通信手段２０２のほうに向け、たとえば、前記入力手段１０５の方向ボタン等の操作を行うと、前記携帯型端末１は、その操作が、前記設置端末２の表示手段２０４上の表示スペースを選択する操作であるか否かの判定をする（ステップ６０２）。このとき、前記表示スペースを選択する操作であれば、前記携帯型端末１は、前記中継サーバ３とのコネクションを確立し、前記中継サーバ３への前記設置端末２に対して送信する情報の送信を開始する（ステップ６０３）。そして、前記中継サーバ３への情報の送信を開始した後、前記携帯型端末１は、赤外線通信手段１０２を利用して、前記設置端末２に前記選択した表示スペースを示す赤外線信号（スペース選択信号）を送信する（ステップ６０４）。このとき、前記携帯型端末１から前記設置端末２に送信されるスペース選択信号は、たとえば、図１２（ａ）に示すように、どの表示スペースを選択したかを表す「情報表示スペース選択」信号識別子を含む。
【００６６】
また、前記携帯型端末１は、前記ステップ６０４の後、前記中継サーバ３への情報の送信中に、別の表示スペースを選択する操作が入力されたか否かを監視する（ステップ６０５）。そして、別の表示スペースを選択する操作を検知した場合は、前記ステップ６０４に戻り、新たに選択された情報表示スペースに対するスペース選択信号を前記設置端末２に発信する。
【００６７】
前記携帯型端末１は、前記中継サーバ３への情報の送信および前記情報の送信中に受け付けた別のスペース選択操作に対するスペース選択信号の発信が完了したら、次に、前記設置端末２に対して、前記中継サーバ３への情報の送信が完了したことを通知する。このとき、前記携帯型端末１から前記設置端末２に送信される送信完了信号は、たとえば、図１２（ｂ）に示すように、中継サーバ３への送信（アップロード）が完了したことを示す「中継サーバへのアップロード完了」信号識別子を含む。
【００６８】
また、ここでは、詳細な説明は省略するが、前記送信完了信号は、たとえば、前記携帯型端末１に次の操作が入力されるまで、前記設置端末２に対して発信し続ける。そして、次の操作が入力されると、前記携帯型端末１は、入力された操作がスペース選択操作であるか判定する（ステップ６０７）。そして、スペース選択操作であれば、前記ステップ６０４に戻り、新たに選択された情報表示スペースに関するスペース選択信号を前記設置端末２に送信する。
【００６９】
また、次に入力された操作が、前記スペース選択操作ではなく、前記情報を前記設置端末２に送信するという操作であれば、前記携帯型端末１の情報を送信することを通知する赤外線信号（情報送信信号）を前記設置端末２に発信する（ステップ６０８）。このとき、前記携帯型端末１から前記設置端末２に送信される情報送信信号は、たとえば、図１２（ｃ）に示すように、情報を送信することを表す「情報を送信」信号識別子と、前記携帯型端末の個体識別番号とを含む。
【００７０】
また、前記ステップ６０８では、前記情報送信信号を発信すると同時に、初期化タイマー１０６をセットする。前記初期化タイマー１０６は、前記情報送信信号を送信し、一定時間が経過した後にステップ６０１の初期状態に戻すためのタイマーである。前記初期化タイマー１０６が作動している間、前記携帯型端末１では、前記情報送信信号を送信する操作や、表示スペースを選択する操作が行われたか否かを監視する（ステップ６０９，ステップ６１０）。このとき、たとえば、前記携帯型端末１で情報を送信するための操作を行うと、前記ステップ６０９で検知され、前記中継サーバ３へのアップロード完了を通知する信号の発信を停止し、ステップ６０８に戻る。また、前記携帯型端末１で前記設置端末２の情報表示スペースを選択するための操作を行うと、前記ステップ６１０で検知され、前記中継サーバ３へのアップロード完了を通知する信号の発信を停止し、ステップ６０４に戻る。このようにすることで、たとえば、赤外線が届かないなどの理由で前記情報送信信号の設置端末２への送信が失敗しても、初期化タイマー１０６が作動中の間であれば、再度ステップ６０１の初期状態やステップ６０３を経ずに、やり直すことができる。前記携帯型端末１を用いて前記設置端末２に情報を送信する場合、前記携帯型端末１では以上のような処理が行われる。
【００７１】
一方、前記携帯型端末１を用いて前記設置端末２に情報を送信する場合、前記設置端末２では、まず、図１１に示すように、表示手段２０４上の情報表示スペースをすべて非選択状態で表示して待機している（ステップ７０１）。このとき、前記情報表示スペースは、すべてのスペースが情報を受け入れられる状態であってもよいし、いくつかのスペースはすでに他の情報が利用していてもよい。
【００７２】
そして、図１０に示したステップ６０４の処理により、前記携帯型端末１から送信されたスペース選択信号を前記設置端末２の赤外線通信手段２０２で受信すると、前記設置端末２は、たとえば、前記スペース選択信号で選択された情報表示スペースを強調表示するなどして、どのスペースが表示されているかを示す（ステップ７０２）。またこのとき、前記設置端末２では、前記選択された情報表示スペースを強調表示するとともに、前記選択解除タイマー２０６をセットする。なお、前記選択解除タイマー２０６がすでに作動している場合は、リセットする。また、前記選択解除タイマー２０６の設定時間は、たとえば、３０秒とする。
【００７３】
前記設置端末２では、前記ステップ７０２でセットまたはリセットした選択解除タイマー２０６の作動中、前記携帯型端末１から別のスペース選択信号、またはアップロード完了通知を受信したか否かを監視する（ステップ７０３，ステップ７０４）。そして、前記ステップ７０３で別のスペース選択信号の受信を検知した場合、前記ステップ７０２に戻り、前記選択解除タイマー２０６をリセットする。また、前記ステップ７０４で前記アップロード完了通知を検知した場合、前記設置端末２の表示手段２０４に、たとえば、前記携帯型端末１からの情報を受信する準備ができたことを表示し、前記携帯型端末１のユーザに通知する（ステップ７０５）。また、前記選択解除タイマー２０６の作動中に前記アップロード完了通知を受信しなかった場合は、初期状態（ステップ７０１）に戻る。
【００７４】
また、前記設置端末２では、前記選択解除タイマー２０６の作動中に前記アップロード完了通知を受信し、前記携帯型端末１からの情報を受信する準備ができたことを表示した後、前記選択解除タイマー２０６を停止せずに作動させ続け、前記携帯型端末１から別のスペース選択信号、または情報送信信号を受信したか否かを監視する（ステップ７０６，ステップ７０７）。そして、ステップ７０６で別のスペース選択信号の受信を検知した場合、前記ステップ７０２に戻り、選択解除タイマー２０６をリセットする。また、前記ステップ７０７で情報送信信号の受信を検知した場合、前記選択解除タイマー２０６を停止し、中継サーバ３から情報を取得（受信）する（ステップ７０８）。またこのとき、前記設置端末２の表示手段２０４に、前記携帯型端末１からの情報を受信中であることを示す表示をすれば、前記携帯型端末１のユーザに対して、前記携帯型端末１の情報を前記設置端末２に直接送信しているように見せることができる。
【００７５】
そして、前記設置端末２は、前記中継サーバ３からの情報の受信が完了したら、前記表示手段２０４の表示を、最終的に選択されている情報表示スペースに、前記受信した情報が追加されたことを示す表示に切り替えて、情報の送信が完了したことを前記携帯型端末１のユーザに通知する。その後、前記設置端末２は、初期状態（ステップ７０１）に戻り、次に前記携帯型端末１から、前記情報選択信号あるいは前記スペース選択信号を受信するまで待機する。
【００７６】
次に、図１０に示したような手順で前記設置端末２（中継サーバ３）に情報を送信する携帯型端末１を用いて、図１１に示したような手順で前記携帯型端末１（中継サーバ３）からの情報を受信するときの、実際の手順と、情報の流れについて説明する。
【００７７】
図１３乃至図１７は、図１０および図１１のフローに沿って携帯型端末から設置端末に情報を送信するときの各端末の状態および情報の流れを示す図である。
【００７８】
本実施例の情報送受信方法において、前記携帯型端末１から前記設置端末２に情報を送信するときには、まず、図１３に示すように、前記設置端末２の表示手段２０４に表示された各情報表示スペースは非選択状態になっている。そして、前記携帯型端末１を前記設置端末２に近づけ、送信する情報を決定する等の操作をすると、前記携帯型端末１は、携帯電話基地局（図示しない）を介して、情報を取得するために利用する中継サーバ３を選択し、図１０に示した初期状態（ステップ６０１）になる。
【００７９】
そして、前記携帯型端末１のユーザが、前記携帯型端末１の入力手段１０５（方向ボタン）を操作して、送信する情報を表示する表示スペースを選択すると、前記携帯型端末１は、図１４に示すように、中継サーバ３とのコネクションを確立し、あらかじめ決定しておいた情報の前記中継サーバ３への送信（アップロード）を開始する。そして、前記情報のアップロードを開始した後、前記赤外線通信手段１０２を用いて、前記設置端末２にスペース選択信号を送信する。前記設置端末２は、前記携帯型端末１からのスペース選択信号を受信すると、前記スペース選択信号で選択された情報表示スペースを強調表示する。
【００８０】
次に、前記携帯型端末１は、前記中継サーバ３への情報の送信（アップロード）が完了すると、図１５に示すように、前記設置端末２にアップロード完了通知を送信する。このとき、前記設置端末２では、前記表示スペースを強調表示するとともに、前記選択解除タイマー２０６を作動させているので、前記選択解除タイマー２０６の作動中に、前記アップロード完了通知を受信すると、たとえば、図１５に示すように、表示手段２０４に受信する準備ができたことを表す表示をし、前記携帯型端末１のユーザに通知する。そして、前記選択解除タイマー２０６が作動中に、前記携帯型端末１から情報送信信号を送信し、それを前記設置端末２が受信すると、図１６に示すように、前記設置端末２は、前記中継サーバ３から前記携帯型端末１がアップロードした情報を受信（ダウンロード）する。このとき、図１６に示したように、前記設置端末２の表示手段２０４に情報を受信中であることを示す表示をすれば、前記携帯型端末１のユーザに対して、前記携帯型端末１から送信された信号を直接受信しているように見せることができる。
【００８１】
そして、前記設置端末２は、前記中継サーバ３からの情報の受信が完了したら、図１７に示すように、前記携帯型端末１によって最終的に選択された情報表示スペースに受信した情報を表示する。そして、すべての情報表示スペースを非選択状態で表示し、次に前記携帯型端末１から、前記情報選択信号あるいは前記スペース選択信号を受信するまで待機する。
【００８２】
このように、本実施例の前記携帯型端末１を用いた前記設置端末２への情報の送信方法によれば、前記携帯型端末１のユーザは、送信する情報を決定する操作の後、前記情報表示スペースを選択する操作および情報送信信号を送信する操作のみを行えばよい。そのため、汎用的な電波通信の受け入れ機能を持たない携帯型端末１と設置端末２の間で、前記赤外線通信で電波通信の接続先を特定し、中継サーバ３を介した電波通信で情報の送受信を行う情報送受信方法において、前記携帯型端末１のユーザが行う操作の数を減らすことができる。また、前記携帯型端末１から前記中継サーバ３に前記情報を送信するときには、指向性の弱い電波通信を利用するので、前記中継サーバ３に前記情報を送信している間は、前記携帯型端末１の向きや位置を固定しておく必要はない。これらのことから、前記携帯型端末１から前記設置端末２に情報を送信する際に、前記携帯型端末１のユーザにかかる身体的な負担を軽減することができる。
【００８３】
以上説明したように、本実施例の情報送受信方法によれば、汎用的な電波通信の受け入れ機能を持たない携帯型端末１と設置端末２の間で、前記赤外線通信で電波通信の接続先を特定し、中継サーバを介した電波通信で情報の送受信を行う情報送受信方法において、前記携帯型端末１のユーザが行う操作の数を少なくすることができる。また、前記携帯型端末１と前記中継サーバ３の間で前記情報を送受信するときには、指向性の弱い電波通信を利用するので、前記携帯型端末１と前記中継サーバ３の間で前記情報の送受信をしている間は、前記携帯型端末１の向きや位置を固定しておく必要はない。これらのことから、前記携帯型端末１と前記設置端末２の間で情報を送受信する際に、前記携帯型端末のユーザにかかる身体的な負担を軽減することができる。
【００８４】
以上、本発明を、前記実施例に基づき具体的に説明したが、本発明は、前記実施例に限定されるものではなく、その要旨を逸脱しない範囲において、種々変更可能であることはもちろんである。
【００８５】
たとえば、前記実施例では、前記携帯型端末１から前記設置端末２に情報を送信するときに、前記携帯型端末１の入力手段１０５を操作して、前記設置端末２の表示手段２０４上で前記送信した情報を表示するスペース（情報表示スペース）を選択する場合を例に挙げて説明したが、これに限らず、前記設置端末２側で自動的に前記携帯型端末１から送信された情報を表示するスペースを決定するような送信方法であってもよい。この場合、図１０に示した携帯型端末１での処理手順における別のスペースを選択する操作が入力されたか否かを監視するステップ、図１１に示した設置端末２での処理手順における別のスペース選択信号を受信したか否かを監視するステップは不要である。
【図面の簡単な説明】
【００８６】
【図１】本発明による一実施例の情報送受信方法が適用される情報送受信システムの概略構成を示す模式図である。
【図２】本実施例の情報送受信方法における携帯型端末を用いた設置端末からの情報の受信方法を説明するための模式図であり、設置端末から情報を受信するときの携帯型端末における処理手順を示すフロー図である。
【図３】本実施例の情報送受信方法における携帯型端末を用いた設置端末からの情報の受信方法を説明するための模式図であり、設置端末から情報を受信するときの設置端末における処理手順を示すフロー図である。
【図４】本実施例の情報送受信方法における携帯型端末を用いた設置端末からの情報の受信方法を説明するための模式図であり、図４（ａ），図４（ｂ）は携帯型端末から設置端末に送信される赤外線信号の構成例を示す図である。
【図５】図２および図３のフローに沿って情報を受信するときの各端末の状態および情報の流れを示す図である。
【図６】図２および図３のフローに沿って情報を受信するときの各端末の状態および情報の流れを示す図である。
【図７】図２および図３のフローに沿って情報を受信するときの各端末の状態および情報の流れを示す図である。
【図８】図２および図３のフローに沿って情報を受信するときの各端末の状態および情報の流れを示す図である。
【図９】図２および図３のフローに沿って情報を受信するときの各端末の状態および情報の流れを示す図である。
【図１０】本実施例の情報送受信方法における携帯型端末から設置端末への情報の送信方法を説明するための模式図であり、携帯型端末から情報を送信するときの携帯型端末における処理手順を示すフロー図である。
【図１１】本実施例の情報送受信方法における携帯型端末から設置端末への情報の送信方法を説明するための模式図であり、携帯型端末から情報を送信するときの設置端末における処理手順を示すフロー図である。
【図１２】本実施例の情報送受信方法における携帯型端末から設置端末への情報の送信方法を説明するための模式図であり、図１２（ａ），図１２（ｂ），図１２（ｃ）はそれぞれ携帯型端末から設置端末に送信される赤外線信号の構成例を示す図である。
【図１３】図１０および図１１のフローに沿って携帯型端末から設置端末に情報を送信するときの各端末の状態および情報の流れを示す図である。
【図１４】図１０および図１１のフローに沿って携帯型端末から設置端末に情報を送信するときの各端末の状態および情報の流れを示す図である。
【図１５】図１０および図１１のフローに沿って携帯型端末から設置端末に情報を送信するときの各端末の状態および情報の流れを示す図である。
【図１６】図１０および図１１のフローに沿って携帯型端末から設置端末に情報を送信するときの各端末の状態および情報の流れを示す図である。
【図１７】図１０および図１１のフローに沿って携帯型端末から設置端末に情報を送信するときの各端末の状態および情報の流れを示す図である。
【符号の説明】
【００８７】
１…携帯型端末
１０１…電波通信手段
１０２…赤外線通信手段
１０３…メモリ
１０４…表示手段
１０５…入力手段
１０６…初期化タイマー
１０７…アップロード制御手段
１０８…処理制御手段
２…設置端末
２０１…有線通信手段
２０２…赤外線通信手段
２０３…メモリ
２０４…表示手段
２０５…アップロードタイマー
２０６…選択解除タイマー
２０７…処理制御手段
３…中継サーバ
【図１】
2006067299.tif 000003
【図２】
2006067299.tif 000004
【図３】
2006067299.tif 000005
【図４】
2006067299.tif 000006
【図５】
2006067299.tif 000007
【図６】
2006067299.tif 000008
【図７】
2006067299.tif 000009
【図８】
2006067299.tif 000010
【図９】
2006067299.tif 000011
【図１０】
2006067299.tif 000012
【図１１】
2006067299.tif 000013
【図１２】
2006067299.tif 000014
【図１３】
2006067299.tif 000015
【図１４】
2006067299.tif 000016
【図１５】
2006067299.tif 000017
【図１６】
2006067299.tif 000018
【図１７】
2006067299.tif 000019